(57)【要約】【課題】動画データの再圧縮を行うことなくデジタル形式の動画データにタイトルを挿入できるようにしたカメラ装置およびそのカメラ装置におけるタイトル編集方法を提供する。【解決手段】カメラ装置１００は、撮影映像を示す動画データと動画データよりも先に再生される先行画像を示す先行データとを有する先行データ付き動画データを生成する動画データ生成手段と、先行データ付き動画データに挿入されるタイトルを示すタイトルデータを生成するタイトルデータ生成手段と、先行データ付き動画データにおける先行データのタイトルデータとデータサイズの等しいタイトル挿入用データを、タイトルデータ生成手段により生成されたタイトルデータに差し替えるデータ差替手段とを有している。【選択図】図１
2008085632.tif 000002
【特許請求の範囲】
【請求項１】
撮影映像を示す動画データと該動画データよりも先に再生される先行画像を示す先行データとを有する先行データ付き動画データを生成する動画データ生成手段と、
前記先行データ付き動画データに挿入されるタイトルを示すタイトルデータを生成するタイトルデータ生成手段と、
前記先行データ付き動画データにおける前記先行データの前記タイトルデータとデータサイズの等しいタイトル挿入用データを、前記タイトルデータ生成手段により生成された前記タイトルデータに差し替えるデータ差替を行うデータ差替手段とを有するカメラ装置。
【請求項２】
前記動画データのうちの先に再生される先方領域を除去する先方除去編集を行うための編集手段と、
該編集手段により指定される編集ポイントの先方に前記タイトルデータを挿入するためのタイトル挿入領域を確保する領域確保手段とを更に有し、
前記データ差替手段は、前記領域確保手段により確保された前記タイトル挿入領域に対応する対応データを前記タイトル挿入用データとして、前記タイトルデータ生成手段により生成された前記タイトルデータに差し替える請求項１記載のカメラ装置。
【請求項３】
前記動画データ生成手段は前記先行データの先頭部分を前記タイトル挿入用データとし、該タイトル挿入用データと前記動画データとの間を段階的に変化する変化映像を示す変化映像データとして前記先行データ付き動画データを生成するように構成されている請求項１または２記載のカメラ装置。
【請求項４】
前記動画データ生成手段により生成された前記先行データ付き動画データが記憶され、ランダムアクセスでデータの読み書きを行う外部記憶装置を更に有し、
前記データ差替手段は、前記外部記憶装置に記憶される前記先行データ付き動画データの前記タイトル挿入用データを前記タイトルデータに書き換えることによって前記データ差替を行う請求項１または２記載のカメラ装置。
【請求項５】
前記タイトルの操作入力が行われる操作入力手段を更に有し、
前記タイトルデータ生成手段は、前記操作入力手段により入力された前記タイトルを示すタイトル表示データを前記タイトルデータとして生成するように構成されている請求項１または２記載のカメラ装置。
【請求項６】
前記動画データ生成手段は、前記タイトル挿入用データが圧縮処理の単位となるＧＯＰの整数倍のデータサイズで生成されるようにして前記先行データ付き動画データを生成するように構成されている請求項１または２記載のカメラ装置。
【請求項７】
前記動画データの先方に前記タイトルデータを挿入するためのタイトル挿入領域を確保するか否かを選択するための選択操作手段を更に有する請求項１または２記載のカメラ装置。
【請求項８】
前記タイトルデータ生成手段は、前記タイトル挿入用データと等しいデータサイズで前記タイトルデータを生成するように構成されている請求項５記載のカメラ装置。
【請求項９】
撮影映像を示す動画データと該動画データよりも先に再生される先行画像を示す先行データとを有する先行データ付き動画データを生成する動画データ生成手段を備えたカメラ装置におけるタイトル編集方法であって、
前記先行データ付き動画データに挿入されるタイトルを示すタイトルデータを生成し、
前記先行データ付き動画データにおける前記先行データの前記タイトルデータとデータサイズの等しいタイトル挿入用データを、前記生成された前記タイトルデータに差し替えるデータ差替を行うタイトル編集方法。
【請求項１０】
前記動画データ生成手段により生成された前記先行データ付き動画データをランダムアクセスでデータの読み書きを行う外部記憶装置に記憶させ、
前記外部記憶装置に記憶される前記先行データ付き動画データの前記タイトル挿入用データを前記タイトルデータに書き換えることによって前記データ差替を行うタイトル編集方法。
【発明の詳細な説明】
【技術分野】
【０００１】
本発明は、撮影された撮影映像を示す動画データへのタイトルの挿入機能を備えたデジタルカメラ、ビデオカメラ等のカメラ装置およびそのカメラ装置におけるタイトル編集方法に関する。
【背景技術】
【０００２】
従来、被写体の光学画像を静止画（静止画像）または動画（動画像）として取込み、撮影した画像を画像データに変換して電子的に保存するカメラ装置（電子カメラ装置ともいう）が知られている。従来のカメラ装置には、静止画の撮影を主体とするデジタルカメラと、動画の撮影を主体とするビデオカメラとがある。
【０００３】
デジタルカメラ、ビデオカメラのいずれについても従来から様々なものが普及しているが、中には、動画データへのタイトルの挿入機能を備えたカメラ装置がある。
【０００４】
例えば、特許文献１には、動画データのファイル管理情報にタイトル用静止画データを記憶させ、そのファイル管理情報を更新するようにして、マスターになる動画データを変更せずにタイトルの挿入および変更を行えるようにしたビデオカメラが開示されている。
【０００５】
また、特許文献２には、多種多様なタイトル情報を記憶している記憶素子から、選ばれたタイトル情報を読み出して所望のタイミングで動画データに挿入するようにしたビデオカメラが開示されている。
【０００６】
さらに、特許文献３には、タイトルの表示されるタイトル領域を画面いっぱいに拡大してタイトル画像としたタイトル領域信号を撮像信号と混合するようにしたビデオカメラが開示されている。
【特許文献１】特開２０００−３０７９５７号公報
【特許文献２】特開２００１−３３３３７７号公報
【特許文献３】特開平７−１３１７１０号公報
【発明の開示】
【発明が解決しようとする課題】
【０００７】
ところで、動画データにタイトルが挿入されるときは、撮影処理が終了した後で、記憶装置から動画データが読み出されてその動画データにタイトルのデータが付加されることとなる。
【０００８】
しかし、動画データがデジタル形式で記録されているときは、タイトルを挿入しようとする動画データがＭＰＥＧ（Motion  Picture  Experts  Group）−２等の圧縮規格にしたがって圧縮されているため、動画データ自体にタイトルを挿入するには、次のようにする必要があった。すなわち、タイトルを挿入する前にその動画データを記憶装置から読み出して復号化し、その復号化したデータ（復号化データ）に対してタイトルのデータを合成した上で再度圧縮しなければならなかった。
【０００９】
そのため、タイトルを挿入するのに膨大なデータ処理が必要とされ、また、膨大な復号化データを記憶しておくための膨大な記憶容量を備えたメモリも必要とされる。さらに、動画データが再圧縮されることにより、画質も劣化してしまう。
【００１０】
この点、デコード処理用のチップとエンコード処理用のチップとをそれぞれ用意すると、デコード処理とエンコード処理とを並行して進められるので、復号化データを記憶するメモリの容量を抑えることが可能となるが、そうすると、消費電力の増大や多大な熱の発生、コスト高、回路の複雑化などを招いてしまう。
【００１１】
一方、上記特許文献１に記載されているカメラ装置のように、静止画タイトルを動画データとを別にして生成し、静止画タイトルに続いて動画データを再生する装置もある。しかし、動画データと静止画タイトルとを別にして生成すると、撮影したカメラ装置とは別の装置（例えば、別のカメラ装置やパーソナルコンピュータなど）で動画を再生しようとしたときに、静止画タイトルと動画データとの関連付けなどが行われていないと、両者が一緒に再生されなくなるおそれが生じる。
【００１２】
このように、動画データをデジタル形式で記録する従来のカメラ装置では、動画データ自体へのタイトル挿入を実現することが極めて困難であった。
【００１３】
そこで、本発明は上記課題を解決するためになされたもので、動画データの再圧縮を行うことなくデジタル形式の動画データにタイトルを挿入できるようにしたカメラ装置およびそのカメラ装置におけるタイトル編集方法を提供することを目的とする。
【課題を解決するための手段】
【００１４】
上記課題を解決するため、本発明は、撮影映像を示す動画データとその動画データよりも先に再生される先行画像を示す先行データとを有する先行データ付き動画データを生成する動画データ生成手段と、先行データ付き動画データに挿入されるタイトルを示すタイトルデータを生成するタイトルデータ生成手段と、先行データ付き動画データにおける先行データのタイトルデータとデータサイズの等しいタイトル挿入用データを、タイトルデータ生成手段により生成されたタイトルデータに差し替えるデータ差替を行うデータ差替手段とを有するカメラ装置を特徴とする。
【００１５】
また、本発明は、撮影映像を示す動画データとその動画データよりも先に再生される先行画像を示す先行データとを有する先行データ付き動画データを生成する動画データ生成手段を備えたカメラ装置におけるタイトル編集方法であって、先行データ付き動画データに挿入されるタイトルを示すタイトルデータを生成し、先行データ付き動画データにおける先行データのタイトルデータとデータサイズの等しいタイトル挿入用データを、生成されたタイトルデータに差し替えるデータ差替を行うタイトル編集方法を提供する。
【発明の効果】
【００１６】
以上詳述したように、本発明によれば、動画データの再圧縮を行うことなくデジタル形式の動画データにタイトルを挿入できるようにしたカメラ装置およびそのカメラ装置におけるタイトル編集方法が得られる。
【発明を実施するための最良の形態】
【００１７】
以下、本発明の実施の形態について説明する。なお、同一要素には同一符号を用い、重複する説明は省略する。
【００１８】
（カメラ装置の構成）
図１は、本発明の実施形態に係るカメラ装置１００の主要な構成を示すブロック図である。図１に示すカメラ装置１００は、動画の撮影を主体とし、静止画も撮影することが可能なデジタルビデオカメラ装置である。
【００１９】
このカメラ装置１００は、デジタル信号出力部１０１と、信号処理部１０２と、圧縮伸張処理部１０３と、ワークメモリ１０４およびＨＤＤ（Hard  Disk  Drive）１０５とを有している。
【００２０】
また、カメラ装置１００は、メモリカードスロット１０６と、ビデオデコーダ１０７と、ＬＣＤ（Liquid  Crystal  Display）ドライバ１０８と、ＬＣＤ１０９と、ＬＡＮコントローラ１１０およびＵＳＢコントローラ１１１を有している。さらに、カメラ装置１００は、ＬＡＮ端子１１２と、ＵＳＢ端子１１３と、ＣＰＵ１１４と、操作部１１５およびフォントデータＲＯＭ１１６とを有している。
【００２１】
デジタル信号出力部１０１は、図示しないレンズを通して得られる被写体の光学画像を用いてＣＣＤ（Charge  Coupled  Device）が生成したアナログの電気信号をデジタル信号に変換して信号処理部１０２に出力する。
【００２２】
信号処理部１０２は、入力されるデジタル信号に画像処理を施して、実際に撮影された撮影映像を示す動画データを生成する。また、信号処理部１０２は、動画データ生成手段としての機能を有し、動画データを生成する際に、生成される動画データに後述の先行データを付加した後述する先行データ付動画データを生成する。なお、生成された動画データは一旦メモリ１０４に格納される。
【００２３】
圧縮伸張処理部１０３は、メモリ１０４から取り出した動画データをＭＰＥＧ−２にしたがい圧縮して圧縮動画データとし、静止画データをＪＰＥＧにしたがい圧縮して圧縮静止画データとする。また、圧縮伸張処理部１０３は、ＣＰＵ１１４の指示にしたがい圧縮動画データおよびを圧縮静止画データを伸長する。
【００２４】
メモリ１０４は信号処理部１０２による処理の対象となるデータや、圧縮伸張処理部１０３による処理の対象となるデータが一時的に記憶される。
【００２５】
ＨＤＤ１０５は、外部記憶装置であって、内蔵しているＨＤ（Hard  Disc）に圧縮された動画データおよび音声データを記録する。ＨＤＤ１０５はＨＤ（Hard  Disc）に対して、ランダムアクセスでデータの読み書きを行う。
【００２６】
メモリカードスロット１０６は、ＳＤメモリカード（Secure  Digital  memory  card）などのメモリカード１１７が差込まれ、その差込まれたメモリカード１１７に対するデータの読み書きを行う。
【００２７】
ビデオデコーダ１０７は、圧縮されている動画データを用いて撮影された撮影映像を表示するため、動画データの復号化処理を行い、ＬＣＤドライバ１０８に出力する。このビデオデコーダ１０７は、復号化プログラムにより実現されるソフトウェアデコーダーである。
【００２８】
ＬＣＤドライバ１０８は、ビデオデコーダ１０７から受けた復号化された動画データをＬＣＤ１０９のインターフェースに適合した表示信号に変換する。ＬＣＤ１０９は、ＬＣＤドライバ１０８から出力される表示信号を用いて撮影映像を表示する。
【００２９】
ＬＡＮコントローラ１１０は、ＣＰＵ１１４の指示にしたがい、メモリ１０４から取り出した画像データをＬＡＮ端子１１２を介して接続される図示しない外部の装置（例えば、ＤＶＤレコーダやＨＤＤレコーダ）へ転送する。また、ＬＡＮコントローラ１１０は、ＬＡＮ端子１１２を介して外部の装置から取り込んだ動画データをメモリ１０４に出力する。
【００３０】
ＵＳＢコントローラ１１１は、ＣＰＵ１１４の指示にしたがい、メモリ１０４から取り出した動画データをＵＳＢ端子１１３を介して接続される図示しない外部の装置（例えば、パーソナルコンピュータ）へ転送する。また、ＵＳＢコントローラ１１１は、ＵＳＢ端子１１３を介して外部の装置から取り込んだ動画データをメモリ１０４に出力する。
【００３１】
ＣＰＵ１１４は、図示しないＲＯＭに記憶されているプログラムにしたがい本発明の特徴とする各種手段（データ差替手段、領域確保手段）として作動する。また、ＣＰＵ１１４は、他の構成要素との信号の入出力を行い、カメラ装置１００全体の動作制御や各シーケンスの制御を行う。
【００３２】
操作部１１５はＪＯＧダイヤルと十字キーを有し、それらを用いてユーザがカメラ装置１００における種々の機能（例えば、撮影の開始や停止、撮影映像の再生など）を選択したり、後述するタイトル挿入領域を確保するか否かを選択する操作を行う選択操作手段である。また、操作部１１５はユーザによりタイトルの操作入力が行われる操作入力手段としても作動し、後述する前カット編集を行うための編集手段としての機能も有している。
【００３３】
フォントデータＲＯＭ１１６は、先行データ付き動画データに挿入されるタイトルを構成する複数の文字、記号などのフォントのデータが記憶されている。
【００３４】
次に、ＭＰＥＧ−２にしたがい圧縮伸張処理部１０３が圧縮した動画データのデータ構造について、図２、図３を参照して説明する。ここで、図２はＭＰＥＧ−２にしたがい圧縮伸張処理部１０３が圧縮した動画データのデータ構造を示す図である。動画データは、ヘッダ部２０１と、データ部２０２とを有している。ヘッダ部２０１にはデータ部２０２を構成する各ＶＯＢ（ビデオオブジェクトユニット）のサイズを含む情報が後述するＧＯＰ(Group  of  Pictures)の個数に応じて設けられている。データ部２０２にはＶＯＢが複数（ＶＯＢ２０２ａ，２０２ｂ・・・）設けられている。
【００３５】
また、図３は、同じく、ＭＰＥＧ−２にしたがい圧縮伸張処理部１０３が圧縮した動画データ３１４の構造をＧＯＰを表示して示す図である。カメラ装置１００では、動画データ３１４を用いて撮影映像を再生する場合、ある単位の動画像または何枚かの動画をまとめてＧＯＰとし、そのＧＯＰ単位での独立した再生ができるようになっている。ＧＯＰには、１５フレーム分の動画データが含まれている。
【００３６】
そして、動画データ３１４は、ヘッダ３０１と、実際に撮影された撮影映像を示す動画データ３１３とを有している。ヘッダ３０１には、画像の大きさ、画素縦横比など、ビデオデコーダ１０７が画像データを復号化して撮影映像を再生するために必要な初期データが入っている。動画データ３１３は、複数のＧＯＰ（ＧＯＰ３０２〜３１２）を有するデータストリームとして構成されている。各ＧＯＰは操作部１１５を用いた編集処理の単位となる。
【００３７】
また、図４は、先行データ付き動画データ４１８の構造をＧＯＰを表示して示す図である。先行データ付き動画データ４１８は、ヘッダ３０１と同様のヘッダ４０１を有し、先行データ４１６と、実際に撮影された撮影映像４２２を示す動画データ４１５とを有する実データ４１７が設けられている。
【００３８】
動画データ４１５は動画データ３１３と同様の複数のＧＯＰ（ＧＯＰ４０９〜４１２）を有するデータストリームとして構成されている。先行データ４１６は、複数のＧＯＰ（ＧＯＰ４０２〜４０８）を有し、先行データ付き動画データ４１８を用いて撮影映像を再生するときに動画データ４１５よりも先に再生されるように、動画データ４１５の先頭部分に付加されている。
【００３９】
先行データ４１６は、先頭部分にダミータイトルデータ４１３と、ダミータイトルデータ４１３および動画データ４１５の間に配置された変化映像データ４１４とを有している。
【００４０】
ダミータイトルデータ４１３は、複数のＧＯＰ（ＧＯＰ４０２〜４０５）を有し、撮影映像を再生するにあたって予備的に表示される映像（一定時間、同じ色で表示される予備映像）４２０を表示するためのデータである。このダミータイトルデータ４１３は予備映像を表示するためのデータであるが、タイトルが挿入されるタイトル挿入用データでもある。
【００４１】
変化映像データ４１４は、複数のＧＯＰ（ＧＯＰ４０６〜４０８）を有し、いわゆるフェードインにより、予備映像が段階的に変化しながら撮影映像になっていく様子を示す映像（変化映像）４２１を表示するためのデータである。なお、予備映像４２０と変化映像４２１とが先行映像を構成している。
【００４２】
そして、カメラ装置１００では、動画データを生成するにあたって、動画データ３１３とするか、または先行データ付き動画データ４１８とするか否か、すなわち、動画データの先方にタイトルを挿入するためのタイトル挿入領域を確保するか否かを選択することができる。この選択は、例えば、ＬＣＤ１０９に表示されるメニュー画面にしたがい、操作部１１５を操作することによって行える。ユーザが、タイトル挿入領域を確保することを選択したときは、そのことを示すフラグ（タイトル挿入フラグ）がセットされ、ＣＰＵ１１４が、このタイトル挿入フラグがセットされているときに先行データ付き動画データ４１８を生成する。
【００４３】
さらに、図５は、タイトルデータ５０５の構成を示す図である。タイトルデータ５０５は、ユーザが操作部１１５を用いて後述するタイトル入力操作を行うことにより設定されたタイトル５１１を示すタイトル映像５１０を表示するためのデータである。
【００４４】
このタイトルデータ５０５は、複数のＧＯＰ（ＧＯＰ５０１〜５０４）を有し、ダミータイトルデータ４１３とデータサイズが等しくなるように生成されている。すなわち、タイトルデータ５０５を構成するＧＯＰの個数と、ダミータイトルデータ４１３を構成するＧＯＰの個数とは等しくなっている。
【００４５】
（カメラ装置の動作内容）
次に、カメラ装置１００によるタイトル挿入処理の動作手順について説明する。図７は、タイトル挿入処理の動作手順を示すフローチャートである。タイトル挿入処理はＣＰＵ１１４の制御にしたがって実行される。
【００４６】
ＣＰＵ１１４はタイトル挿入処理を開始すると、処理をステップ１に進め、ユーザに撮影済みの動画データの中からタイトル挿入の対象となる動画データを選択させる。この場合、ＣＰＵ１１４は撮影済みの動画データの一覧をＬＣＤ１０９に表示させ、ユーザに操作部１１５を用いて所望の動画データを選択させる。
【００４７】
次に、ＣＰＵ１１４は動画データが選択されると処理をステップ２に進め、ＬＣＤ１０９に表示される再生メニューから「タイトル編集」が選択されたか否かを判定し、「タイトル編集」が選択されたときはステップ３に処理を進めてＬＣＤ１０９に文字入力画面を表示される（動画データに対するタイトルの挿入をタイトル編集という）。
【００４８】
ここで、ユーザは文字入力画面を参照しながら操作部１１５を操作することにより、動画データに挿入しようとするタイトル（例えば、「運動会」や、「結婚式」など）を入力する。続いてＣＰＵ１１４は処理をステップ４に進め、タイトル入力のための文字入力が完了したか否かを判定して、文字入力が完了したときはステップ５に処理を進める。ＣＰＵ１１４はステップ５では、ステップ４が終了するまでに入力されたタイトルを示すタイトル用ＯＳＤデータ１１８を生成して信号処理部１０２に指示し、タイトルデータ５０５を生成させる。すると、信号処理部１０２が作動してタイトルデータ５０５をメモリ１０４に記憶させる。
【００４９】
ＣＰＵ１１４はステップ５に続いて処理をステップ６に進め、操作部１１５を用いた「タイトル編集実行」の操作入力が行われるまで待機し、「タイトル編集実行」の操作が行われるとステップ７に処理を進める。ＣＰＵ１１４は処理をステップ７に進めると、データ差替手段としての動作を行い、データ差替処理を実行する。
【００５０】
このとき、ＣＰＵ１１４は、次のようにしてデータ差替を行い、先行データ付き動画データ４１８におけるダミータイトルデータ４１３をステップ５で生成されたタイトルデータ５０５に差し替える。
【００５１】
先行データ付き動画データ４１８はＨＤＤ１０５に記憶されるが、そのＨＤＤ１０５は、ランダムアクセスによりデータの読み書きが行われる。そのため、ＣＰＵ１１４がＨＤＤ１０５におけるステップ１で選択された先行データ付き動画データ４１８のダミータイトルデータ４１３が記憶されているエリアにアクセスして、ダミータイトルデータ４１３をタイトルデータ５０５に書き換える（ダミータイトルデータ４１３にタイトルデータ５０５を上書きする）。
【００５２】
ダミータイトルデータ４１３と、タイトルデータ５０５とはデータサイズが等しいので、以上のようにしてデータ差替が行われることにより、図６に示すように、ダミータイトルデータ４１３がタイトルデータ５０５に書き換えられ、タイトルが挿入されたタイトル付き動画データ４２５が得られる。
【００５３】
タイトル付き動画データ４２５は動画データの先方にタイトルデータ５０５を有している。そのため、タイトル付き動画データ４２５を用いて再生処理を行うと、タイトル映像５１０が表示された後にフェードインによる変化画像４１２が表示され、続いて撮影映像４２２が表示される。また、なお、ＣＰＵ１１４はステップ７を実行するとタイトル挿入処理を終了する。
【００５４】
次に、動画データのうちの先に再生される先方領域を除去する先方除去編集（前カット編集）が行われる場合のタイトルの挿入について説明する。
【００５５】
図８は前カット編集が行われる前における動画データ３１４の構造をＧＯＰを表示して示す図で、（ａ）はカットポイントの指定前を示す図、（ｂ）はカットポイントの指定後を示す図である。図９は、動画データ３１４に対するタイトルデータ５１５の挿入手順を示す図である。
【００５６】
まず、ユーザが操作部１１５を操作しながら上述した動画データ３１４に対する前カット編集を行ったとする。この前カット編集が行われる場合、ユーザの操作部１１５の操作入力によって、動画データ３１４のカットポイント（編集ポイントともいう）３５０が指定される。カットポイント３５０が指定されると、ＣＰＵ１１４がカットポイント３５０よりも先方の領域を除去することとなる。したがって、カットポイント３５０よりも先方に配置されるＧＯＰによって表示される映像はすべて不要になる。
【００５７】
そのため、図８（ｂ）に示すようにしてカットポイント３５０が指定されたのち、タイトル挿入が行われる場合、ＣＰＵ１１４は領域確保手段としての動作を行い、カットポイント３５０を先方のカットポイント３５１にシフトさせ、タイトルデータ５０５を挿入するためのタイトル挿入用データ領域３５２をカットポイント３５０の先方に確保する。この場合、ＣＰＵ１１４はタイトル挿入用データ領域３５２と、タイトルデータ５０５のデータサイズを等しくする。
【００５８】
そして、図９に示すように、このタイトル挿入用データ領域３５２に対応する対応データを（ＧＯＰ３０５，３０６，３０７・・・）をダミータイトルデータ４２０に差し替える。後はＣＰＵ１１４がステップ７のデータ差替処理を上記同様に実行してダミータイトルデータ４２０をタイトルデータ５０５に書き換えればよい。
【００５９】
このようにすることによって、前カット編集後の動画データ３１５に対してタイトルが挿入されたタイトル付き動画データ３１６が得られる。
【００６０】
以上のように、カメラ装置１００は、ダミータイトルデータ４１３だけをタイトルデータ５０５に書き換えているから、実際の撮影映像を示す動画データは何ら変更することなく、動画データに対するタイトル挿入を行えるようになっている。ダミータイトルデータ４１３とタイトルデータ５０５のデータサイズが等しいから、上記のようにしてデータ差替処理を行っても動画データには何ら影響がおよばない。
【００６１】
また、カメラ装置１００は、先方データ付き動画データ４１８のうちのダミータイトルデータ４１３だけをタイトルデータ５０５に書き換え、デーボリュームの多い動画データ４１５の読み書きを行っていないから、タイトル挿入をごく短時間で行える。
【００６２】
その上、カメラ装置１００は、先行データ付き動画データ４１８がランダムアクセス可能なＨＤＤ１０５に記憶されるから、ダミータイトルデータ４１３だけの書き換えによってタイトル挿入を行える。したがって、タイトル挿入にあたって動画データ４１５を再度圧縮することを必要としないし、圧縮されている動画データ４１５を復号化することも要しない。そのため、タイトル挿入のために膨大な容量のメモリを用意することも要しないし、画質が劣化することもない。
【００６３】
さらに、カメラ装置１００は、圧縮処理用のチップと、復号化処理用のチップとを別々に用意しなくてもよいので、消費電力の増大やコスト高、多大な熱が発生するようなこともない。
【００６４】
そして、動画データとタイトルとが１つのデータとして構成されているから、別の装置においても、両者を一緒に確実に再生することができる。
【００６５】
なお、上述したカメラ装置１００では、ランダムアクセスによりデータの読み書きを行える外部記憶装置として、ＨＤＤ１０５を有しているが、ＨＤＤ１０５のほか、ＤＶＤ（Digital  Versatile  Disk）へのデータの記録を行うＤＶＤドライブを備えていてもよい。そして、ＤＶＤドライブにより、ＤＶＤ−ＲＷ、ＤＶＤ−ＲＡＭなどの書き換え可能な記憶媒体に動画データを記憶するようにすればよい。
【００６６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００６７】
【図１】本発明の実施形態に係るカメラ装置の主要な構成を示すブロック図である。
【図２】ＭＰＥＧ−２にしたがい圧縮伸張処理部が圧縮した動画データのデータ構造を示す図である。
【図３】同じく、ＭＰＥＧ−２にしたがい圧縮伸張処理部が圧縮した動画データの構造をＧＯＰを表示して示す図である。
【図４】先行データ付き動画データの構造をＧＯＰを表示して示す図である。
【図５】タイトルデータの構成を示す図である。
【図６】タイトル挿入手順を模式的に示す図である。
【図７】タイトル挿入処理の動作手順を示すフローチャートである。
【図８】前カット編集が行われる前における動画データの構造をＧＯＰを表示して示す図で、（ａ）はカットポイントの指定前を示す図、（ｂ）はカットポイントの指定後を示す図である。
【図９】前カット編集が行われたときの動画データに対するタイトルデータの挿入手順を示す図である。
【符号の説明】
【００６８】
１００…カメラ装置、１０２…信号処理部、１０５…ＨＤＤ、１０９…ＬＣＤ
５…内蔵チューナ、６…ＣＰＵ
３１３，４１５…動画データ、４１６…先行データ
４１３…ダミータイトルデータ、４１４…変化映像データ
４１８…先行データ付き動画データ、４２０…予備映像、４２１…変化映像
５０５…タイトルデータ、５１０…タイトル映像、５１１…タイトル
【図１】
2008085632.tif 000003
【図２】
2008085632.tif 000004
【図３】
2008085632.tif 000005
【図４】
2008085632.tif 000006
【図５】
2008085632.tif 000007
【図６】
2008085632.tif 000008
【図７】
2008085632.tif 000009
【図８】
2008085632.tif 000010
【図９】
2008085632.tif 000011